【手続補正書】
【提出日】平成16年11月5日(2004.11.5)
【手続補正１】
【補正対象書類名】明細書
【補正対象項目名】発明の名称
【補正方法】変更
【補正の内容】
【発明の名称】プリンタ言語記述システム、ブラシパターンとディザパターンの干渉回避方法、画像処理装置、画像形成装置、ブラシパターンとディザパターンの干渉回避プログラム及び記録媒体
【手続補正２】
【補正対象書類名】明細書
【補正対象項目名】特許請求の範囲
【補正方法】変更
【補正の内容】
【特許請求の範囲】
【請求項１】
複数のブラシパターンを格納するブラシパターン格納手段と、所定のレベルを有するディザパターンを格納するディザパターン格納手段と、該ディザパターンのレベルを判定するレベル判定手段と、前記ブラシパターン格納手段に格納されたブラシパターンと前記レベル判定手段により判定されたディザパターンから、前記ブラシパターンの座標原点の移動量を算出する原点移動量演算手段と、該原点移動量演算手段により演算された移動量により、前記ブラシパターンの座標原点を移動するブラシパターン移動手段と、該ブラシパターン移動手段により移動されたブラシパテーンにより前記ディザパターンをマスキングするマスキング手段と、を備えたことを特徴とするプリンタ言語記述システム。
【請求項２】
前記レベル判定手段により判定されたディザパターンのレベルに応じて、前記ブラシパターンの座標原点の移動量が異なることを特徴とする請求項１に記載のプリンタ言語記述システム。
【請求項３】
前記原点移動量演算手段は、前記ブラシパターンが最初にＯＮとなる座標位置を、前記ディザパターン格納手段に格納されたディザパターンが最初にＯＮとなるべき座標位置に、前記ブラシパターン移動手段により原点移動させることを特徴とする請求項１に記載のプリンタ言語記述システム。
【請求項４】
前記原点移動量演算手段は、前記ブラシパターンが最初にＯＦＦとなる座標位置を、前記ディザパターン格納手段に格納されたディザパターンが最初にＯＮとなるべき座標位置に、前記ブラシパターン移動手段により原点移動させることを特徴とする請求項１に記載のプリンタ言語記述システム。
【請求項５】
前記ブラシパターン移動手段により原点移動させる際、前記ブラシパターンが描画される個所の色が、不透過モード、フォアグラウンド無色、及びバックグラウンド有色の全ての条件が揃った場合、前記原点移動量演算手段は、前記ブラシパターンが最初にＯＦＦとなる座標位置を、前記ディザパターン格納手段に格納されたディザパターンが最初にＯＮとなるべき座標位置に、前記ブラシパターン移動手段により原点移動させることを特徴とする請求項４に記載のプリンタ言語記述システム。
【請求項６】
前記ブラシパターン移動手段により原点移動させる際、前記ブラシパターンが描画される個所の色が、不透過モード、フォアグラウンド無色、及びバックグラウンド有色の何れか１つの条件が揃わなかった場合、前記原点移動量演算手段は、前記ブラシパターンが最初にＯＮとなる座標位置を、前記ディザパターン格納手段に格納されたディザパターンが最初にＯＮとなるべき座標位置に、前記ブラシパターン移動手段により原点移動させることを特徴とする請求項３に記載のプリンタ言語記述システム。
【請求項７】
前記ブラシパターン移動手段により原点移動を行わない場合、前記ブラシパターン格納手段に格納されたブラシパターンによりマスキングされることを特徴とする請求項１又は２に記載のプリンタ言語記述システム。
【請求項８】
複数のブラシパターンを格納するブラシパターン格納ステップと、所定のレベルを有するディザパターンを格納するディザパターン格納ステップと、該ディザパターンのレベルを判定するレベル判定ステップと、前記ブラシパターン格納ステップに格納されたブラシパターンと前記レベル判定ステップにより判定されたディザパターンから、前記ブラシパターンの座標原点の移動量を算出する原点移動量演算ステップと、該原点移動量演算ステップにより演算された移動量により、前記ブラシパターンの座標原点を移動するブラシパターン移動ステップと、該ブラシパターン移動ステップにより移動されたブラシパテーンと前記ディザパターンとをマスキングするマスキングステップと、を備えたことを特徴とするブラシパターンとディザパターンの干渉回避方法。
【請求項９】
前記原点移動量演算ステップは、前記ブラシパターンが最初にＯＮとなる座標位置を、前記ディザパターン格納ステップにより格納されたディザパターンが最初にＯＮとなるべき座標位置に、前記ブラシパターン移動ステップにより原点移動させることを特徴とする請求項８に記載のブラシパターンとディザパターンの干渉回避方法。
【請求項１０】
前記原点移動量演算ステップは、前記ブラシパターンが最初にＯＦＦとなる座標位置を、前記ディザパターン格納ステップにより格納されたディザパターンが最初にＯＮとなるべき座標位置に、前記ブラシパターン移動ステップにより原点移動させることを特徴とする請求項８に記載のブラシパターンとディザパターンの干渉回避方法。
【請求項１１】
前記ブラシパターン移動ステップにより原点移動させる際、前記ブラシパターンが描画される個所の色が、不透過モード、フォアグラウンド無色、及びバックグラウンド有色の全ての条件が揃った場合、前記原点移動量演算ステップは、前記ブラシパターンが最初にＯＦＦとなる座標位置を、前記ディザパターン格納ステップにより格納されたディザパターンが最初にＯＮとなるべき座標位置に、前記ブラシパターン移動ステップにより原点移動させることを特徴とする請求項１０に記載のブラシパターンとディザパターンの干渉回避方法。
【請求項１２】
前記ブラシパターン移動ステップにより原点移動させる際、前記ブラシパターンが描画される個所の色が、不透過モード、フォアグラウンド無色、及びバックグラウンド有色の何れか１つの条件が揃わなかった場合、前記原点移動量演算ステップは、前記ブラシパターンが最初にＯＮとなる座標位置を、前記ディザパターン格納ステップにより格納されたディザパターンが最初にＯＮとなるべき座標位置に、前記ブラシパターン移動ステップにより原点移動させることを特徴とする請求項９に記載のブラシパターンとディザパターンの干渉回避方法。
【請求項１３】
複数のブラシパターンを格納するブラシパターン格納手段と、所定のレベルを有するディザパターンを格納するディザパターン格納手段と、該ディザパターンのレベルを判定するレベル判定手段と、前記ブラシパターン格納手段に格納されたブラシパターンと前記レベル判定手段により判定されたディザパターンから、前記ブラシパターンの座標原点の移動量を算出する原点移動量演算手段と、該原点移動量演算手段により演算された移動量により、前記ブラシパターンの座標原点を移動するブラシパターン移動手段と、該ブラシパターン移動手段により移動されたブラシパテーンにより前記ディザパターンをマスキングするマスキング手段と、を備えたことを特徴とする画像処理装置。
【請求項１４】
前記レベル判定手段により判定されたディザパターンのレベルに応じて、前記ブラシパターンの座標原点の移動量が異なることを特徴とする請求項１３に記載の画像処理装置。
【請求項１５】
前記原点移動量演算手段は、前記ブラシパターンが最初にＯＮとなる座標位置を、前記ディザパターン格納手段に格納されたディザパターンが最初にＯＮとなるべき座標位置に、前記ブラシパターン移動手段により原点移動させることを特徴とする請求項１３に記載の画像処理装置。
【請求項１６】
前記原点移動量演算手段は、前記ブラシパターンが最初にＯＦＦとなる座標位置を、前記ディザパターン格納手段に格納されたディザパターンが最初にＯＮとなるべき座標位置に、前記ブラシパターン移動手段により原点移動させることを特徴とする請求項１３に記載の画像処理装置。
【請求項１７】
前記ブラシパターン移動手段により原点移動させる際、前記ブラシパターンが描画される個所の色が、不透過モード、フォアグラウンド無色、及びバックグラウンド有色の全ての条件が揃った場合、前記原点移動量演算手段は、前記ブラシパターンが最初にＯＦＦとなる座標位置を、前記ディザパターン格納手段に格納されたディザパターンが最初にＯＮとなるべき座標位置に、前記ブラシパターン移動手段により原点移動させることを特徴とする請求項１６に記載の画像処理装置。
【請求項１８】
前記ブラシパターン移動手段により原点移動させる際、前記ブラシパターンが描画される個所の色が、不透過モード、フォアグラウンド無色、及びバックグラウンド有色の何れか１つの条件が揃わなかった場合、前記原点移動量演算手段は、前記ブラシパターンが最初にＯＮとなる座標位置を、前記ディザパターン格納手段に格納されたディザパターンが最初にＯＮとなるべき座標位置に、前記ブラシパターン移動手段により原点移動させることを特徴とする請求項１５に記載の画像処理装置。
【請求項１９】
前記ブラシパターン移動手段により原点移動を行わない場合、前記ブラシパターン格納手段に格納されたブラシパターンによりマスキングされることを特徴とする請求項１３又は１４に記載の画像処理装置。
【請求項２０】
複数のブラシパターンを格納するブラシパターン格納手段と、所定のレベルを有するディザパターンを格納するディザパターン格納手段と、該ディザパターンのレベルを判定するレベル判定手段と、前記ブラシパターン格納手段に格納されたブラシパターンと前記レベル判定手段により判定されたディザパターンから、前記ブラシパターンの座標原点の移動量を算出する原点移動量演算手段と、該原点移動量演算手段により演算された移動量により、前記ブラシパターンの座標原点を移動するブラシパターン移動手段と、該ブラシパターン移動手段により移動されたブラシパテーンにより前記ディザパターンをマスキングするマスキング手段と、を備えたことを特徴とする画像形成装置。
【請求項２１】
前記レベル判定手段により判定されたディザパターンのレベルに応じて、前記ブラシパターンの座標原点の移動量が異なることを特徴とする請求項２０に記載の画像形成装置。
【請求項２２】
前記原点移動量演算手段は、前記ブラシパターンが最初にＯＮとなる座標位置を、前記ディザパターン格納手段に格納されたディザパターンが最初にＯＮとなるべき座標位置に、前記ブラシパターン移動手段により原点移動させることを特徴とする請求項２０に記載の画像形成装置。
【請求項２３】
前記原点移動量演算手段は、前記ブラシパターンが最初にＯＦＦとなる座標位置を、前記ディザパターン格納手段に格納されたディザパターンが最初にＯＮとなるべき座標位置に、前記ブラシパターン移動手段により原点移動させることを特徴とする請求項２０に記載の画像形成装置。
【請求項２４】
前記ブラシパターン移動手段により原点移動させる際、前記ブラシパターンが描画される個所の色が、不透過モード、フォアグラウンド無色、及びバックグラウンド有色の全ての条件が揃った場合、前記原点移動量演算手段は、前記ブラシパターンが最初にＯＦＦとなる座標位置を、前記ディザパターン格納手段に格納されたディザパターンが最初にＯＮとなるべき座標位置に、前記ブラシパターン移動手段により原点移動させることを特徴とする請求項２３に記載の画像形成装置。
【請求項２５】
前記ブラシパターン移動手段により原点移動させる際、前記ブラシパターンが描画される個所の色が、不透過モード、フォアグラウンド無色、及びバックグラウンド有色の何れか１つの条件が揃わなかった場合、前記原点移動量演算手段は、前記ブラシパターンが最初にＯＮとなる座標位置を、前記ディザパターン格納手段に格納されたディザパターンが最初にＯＮとなるべき座標位置に、前記ブラシパターン移動手段により原点移動させることを特徴とする請求項２２に記載の画像形成装置。
【請求項２６】
前記ブラシパターン移動手段により原点移動を行わない場合、前記ブラシパターン格納手段に格納されたブラシパターンによりマスキングされることを特徴とする請求項２０又は２１に記載の画像形成装置。
【請求項２７】
請求項８乃至１２の何れか一項に記載のブラシパターンとディザパターンの干渉回避方法をコンピュータが制御可能にプログラミングしたことを特徴とするブラシパターンとディザパターンの干渉回避プログラム。
【請求項２８】
請求項２７に記載のブラシパターンとディザパターンの干渉回避プログラムをコンピュータが読み取り可能な形式で記録したことを特徴とする記録媒体。
【手続補正３】
【補正対象書類名】明細書
【補正対象項目名】０００４
【補正方法】変更
【補正の内容】
【０００４】
【課題を解決するための手段】
本発明はかかる課題を解決するために、請求項１、１３、２０は、複数のブラシパターンを格納するブラシパターン格納手段と、所定のレベルを有するディザパターンを格納するディザパターン格納手段と、該ディザパターンのレベルを判定するレベル判定手段と、前記ブラシパターン格納手段に格納されたブラシパターンと前記レベル判定手段により判定されたディザパターンから、前記ブラシパターンの座標原点の移動量を算出する原点移動量演算手段と、該原点移動量演算手段により演算された移動量により、前記ブラシパターンの座標原点を移動するブラシパターン移動手段と、該ブラシパターン移動手段により移動されたブラシパテーンにより前記ディザパターンをマスキングするマスキング手段と、を備えたことを特徴とする。
ブラシパターンは異なる種類のものがあり、それらは目的により使い分けられる。そして、それらのブラシパターンはメモリの所定の場所に格納されている。また、ディザパターンはレベルにより０から２５５段階があり、レベルが高くなるほど画像を忠実に再現される。このレベルはレベル判定手段により判定され、レベルが低いほど、ブラシレベルとディザパターンが干渉する確率（ディザパターンによりブラシパターンがマスキングされて描画されない確率）が高くなるので、ブラシレベルの原点を移動する必要が生じる。つまり、レベルが低いほど、ディザパターンが始まる座標位置に、ブラシパターンがマスキングされないように原点移動することが必要である。
かかる発明によれば、ディザパターンのレベルを判定する手段と、ブラシパターンの原点移動量を演算する手段を備えることにより、ディザパターンのレベルに応じて、ブラシパターンの原点移動量を適正に制御することができる。
請求項２、１４、２１は、前記レベル判定手段により判定されたディザパターンのレベルに応じて、前記ブラシパターンの座標原点の移動量が異なることも本発明の有効な手段である。前記で述べた通り、ディザパターンのレベルが低いほど、ブラシレベルとディザパターンが干渉する確率が高くなるので、ブラシレベルの原点を移動する必要が生じる。当然、そのレベルにより移動量も異なる。かかる技術手段によれば、ディザパターンのレベルに応じて、ブラシパターンの原点移動量を適正に制御できるので、ディザパターンとブラシパターンの干渉を極力減らすことができる。
【手続補正４】
【補正対象書類名】明細書
【補正対象項目名】０００５
【補正方法】変更
【補正の内容】
【０００５】
請求項３、１５、２２は、前記原点移動量演算手段は、前記ブラシパターンが最初にＯＮとなる座標位置を、前記ディザパターン格納手段に格納されたディザパターンが最初にＯＮとなるべき座標位置に、前記ブラシパターン移動手段により原点移動させることも本発明の有効な手段である。ブラシパターンがＯＮとなる座標位置とは、その位置に重なったディザパターンが塗りつぶされる座標位置のことである。従って、そのＯＮとなる座標位置をレベルに応じて、ディザパターンが最初にＯＮとなる座標位置にくるように原点を移動すれば、ブラシパターンがマスキングされることはなくなる。
かかる技術手段によれば、ブラシパターンが最初にＯＮとなる座標位置を、ディザパターン格納手段に格納されたディザパターンが最初にＯＮとなるべき座標位置に、原点移動させるので、レベルの低いディザパターンでも干渉する確率が減少してブラシパターンを描画することができる。
請求項４、１６、２３は、前記原点移動量演算手段は、前記ブラシパターンが最初にＯＦＦとなる座標位置を、前記ディザパターン格納手段に格納されたディザパターンが最初にＯＮとなるべき座標位置に、前記ブラシパターン移動手段により原点移動させることも本発明の有効な手段である。
ブラシパターンがＯＦＦとなる座標位置とは、その位置に重なったディザパターンは塗りつぶされない座標位置のことである。従って、そのＯＦＦとなる座標位置をレベルに応じて、ディザパターンが最初にＯＮとなる座標位置にくるように原点を移動すれば、バックグラウンドを考慮したブラシパターンとなり、ディザパターンとの干渉がなく描画される。
かかる技術手段によれば、ブラシパターンが最初にＯＦＦとなる座標位置を、ディザパターン格納手段に格納されたディザパターンが最初にＯＮとなるべき座標位置に、原点移動させるので、バックグラウンドを考慮したブラシパターンとなり、ディザパターンとの干渉がなく描画することができる。
【手続補正５】
【補正対象書類名】明細書
【補正対象項目名】０００６
【補正方法】変更
【補正の内容】
【０００６】
請求項５、１７、２４は、前記ブラシパターン移動手段により原点移動させる際、前記ブラシパターンが描画される個所の色が、不透過モード、フォアグラウンド無色、及びバックグラウンド有色の全ての条件が揃った場合、前記原点移動量演算手段は、前記ブラシパターンが最初にＯＦＦとなる座標位置を、前記ディザパターン格納手段に格納されたディザパターンが最初にＯＮとなるべき座標位置に、前記ブラシパターン移動手段により原点移動させることも本発明の有効な手段である。ブラシパターンが描画される個所の色は、さまざまである。従って、それに合った処理を行わないと、正しくブラシパターンを描画することができない。
例えば、不透過性の紙にバックグラウンドが着色され、フォアグラウンドが無色の場合、請求項４の処理を行う。かかる技術手段によれば、ブラシパターンが描画される個所の色が、不透過モード、フォアグラウンド無色、及びバックグラウンド有色の全ての条件が揃った場合、請求項４の処理を行うので、バックグラウンドを考慮したブラシパターンとなり、ディザパターンとの干渉がなく描画することができる。
請求項６、１８、２５は、前記ブラシパターン移動手段により原点移動させる際、前記ブラシパターンが描画される個所の色が、不透過モード、フォアグラウンド無色、及びバックグラウンド有色の何れか１つの条件が揃わなかった場合、前記原点移動量演算手段は、前記ブラシパターンが最初にＯＮとなる座標位置を、前記ディザパターン格納手段に格納されたディザパターンが最初にＯＮとなるべき座標位置に、前記ブラシパターン移動手段により原点移動させることも本発明の有効な手段である。
また、ブラシパターンが描画される個所の色が、前記３つの条件が揃っているとは限らない。そのように、どれか異なる場合は、請求項３の処理を行う。かかる技術手段によれば、ブラシパターンが描画される個所の色が、不透過モード、フォアグラウンド無色、及びバックグラウンド有色の何れか１つの条件が揃わなかった場合、請求項３の処理を行うので、レベルの低いディザパターンでも干渉する確率が減少してブラシパターンを描画することができる。
【手続補正６】
【補正対象書類名】明細書
【補正対象項目名】０００７
【補正方法】変更
【補正の内容】
【０００７】
請求項７、１９、２６は、前記ブラシパターン移動手段により原点移動を行わない場合、前記ブラシパターン格納手段に格納されたブラシパターンによりマスキングされることも本発明の有効な手段である。ブラシパターン移動手段により原点移動を行わない場合とは、ディザパターンのレベルが高い場合である。この場合、ブラシパターンとディザパターンが干渉する確率が低くなるため、特にブラシパターンを原点移動して確率を低くする必要はない。このような時は、そのままのブラシパターンを使用しても構わない。
かかる技術手段によれば、ブラシパターンの原点移動を行わない場合、ブラシパターン格納手段に格納されたブラシパターンによりマスキングされるので、不要な処理によるブラシパターンの乱れを防ぐことができる。
請求項８は、複数のブラシパターンを格納するブラシパターン格納ステップと、所定のレベルを有するディザパターンを格納するディザパターン格納ステップと、該ディザパターンのレベルを判定するレベル判定ステップと、前記ブラシパターン格納ステップに格納されたブラシパターンと前記レベル判定ステップにより判定されたディザパターンから、前記ブラシパターンの座標原点の移動量を算出する原点移動量演算ステップと、該原点移動量演算ステップにより演算された移動量により、前記ブラシパターンの座標原点を移動するブラシパターン移動ステップと、該ブラシパターン移動ステップにより移動されたブラシパテーンと前記ディザパターンとをマスキングするマスキングステップと、を備えたことを特徴とする。かかる発明によれば、請求項１と同様の作用効果を奏する。
請求項９は、前記原点移動量演算ステップは、前記ブラシパターンが最初にＯＮとなる座標位置を、前記ディザパターン格納ステップにより格納されたディザパターンが最初にＯＮとなるべき座標位置に、前記ブラシパターン移動ステップにより原点移動させることも本発明の有効な手段である。かかる発明によれば、請求項３と同様の作用効果を奏する。
【手続補正７】
【補正対象書類名】明細書
【補正対象項目名】０００８
【補正方法】変更
【補正の内容】
【０００８】
請求項１０は、前記原点移動量演算ステップは、前記ブラシパターンが最初にＯＦＦとなる座標位置を、前記ディザパターン格納ステップにより格納されたディザパターンが最初にＯＮとなるべき座標位置に、前記ブラシパターン移動ステップにより原点移動させることも本発明の有効な手段である。かかる発明によれば、請求項４と同様の作用効果を奏する。
請求項１１は、前記ブラシパターン移動ステップにより原点移動させる際、前記ブラシパターンが描画される個所の色が、不透過モード、フォアグラウンド無色、及びバックグラウンド有色の全ての条件が揃った場合、前記原点移動量演算ステップは、前記ブラシパターンが最初にＯＦＦとなる座標位置を、前記ディザパターン格納ステップにより格納されたディザパターンが最初にＯＮとなるべき座標位置に、前記ブラシパターン移動ステップにより原点移動させることも本発明の有効な手段である。かかる発明によれば、請求項５と同様の作用効果を奏する。
請求項１２は、前記ブラシパターン移動ステップにより原点移動させる際、前記ブラシパターンが描画される個所の色が、不透過モード、フォアグラウンド無色、及びバックグラウンド有色の何れか１つの条件が揃わなかった場合、前記原点移動量演算ステップは、前記ブラシパターンが最初にＯＮとなる座標位置を、前記ディザパターン格納ステップにより格納されたディザパターンが最初にＯＮとなるべき座標位置に、前記ブラシパターン移動ステップにより原点移動させることも本発明の有効な手段である。かかる発明によれば、請求項６と同様の作用効果を奏する。
請求項２７は、請求項８乃至１２の何れか一項に記載のディザパターンの干渉回避方法をコンピュータが制御可能にプログラミングしたことを特徴とする。
請求項２８は、請求項２７に記載のディザパターンの干渉回避プログラムをコンピュータが読み取り可能な形式で記録したことを特徴とする。
【手続補正８】
【補正対象書類名】明細書
【補正対象項目名】００１４
【補正方法】変更
【補正の内容】
【００１４】
【発明の効果】
以上記載のごとく請求項１、８、１３、２０の発明によれば、ディザパターンのレベルを判定する手段と、ブラシパターンの原点移動量を演算する手段を備えることにより、ディザパターンのレベルに応じて、ブラシパターンの原点移動量を適正に制御することができる。
また請求項２、１４、２１では、ディザパターンのレベルに応じて、ブラシパターンの原点移動量を適正に制御できるので、ディザパターンとブラシパターンの干渉を極力減らすことができる。
また請求項３、９、１５、２２では、ブラシパターンが最初にＯＮとなる座標位置を、ディザパターン格納手段に格納されたディザパターンが最初にＯＮとなるべき座標位置に、原点移動させるので、レベルの低いディザパターンでも干渉する確率が減少してブラシパターンを描画することができる。
また請求項４、１０、１６、２３では、ブラシパターンが最初にＯＦＦとなる座標位置を、ディザパターン格納手段に格納されたディザパターンが最初にＯＮとなるべき座標位置に、原点移動させるので、バックグラウンドを考慮したブラシパターンとなり、ディザパターンとの干渉がなく描画することができる。
また請求項５、１１、１７、２４では、ブラシパターンが描画される個所の色が、不透過モード、フォアグラウンド無色、及びバックグラウンド有色の全ての条件が揃った場合、請求項４の処理を行うので、バックグラウンドを考慮したブラシパターンとなり、ディザパターンとの干渉がなく描画することができる。
また請求項６、１２、１８、２５では、ブラシパターンが描画される個所の色が、不透過モード、フォアグラウンド無色、及びバックグラウンド有色の何れか１つの条件が揃わなかった場合、請求項３の処理を行うので、レベルの低いディザパターンでも干渉する確率が減少してブラシパターンを描画することができる。
また請求項７、１９、２６では、ブラシパターンの原点移動を行わない場合、ブラシパターン格納手段に格納されたブラシパターンによりマスキングされるので、不要な処理によるブラシパターンの乱れを防ぐことができる。
請求項２７では、本発明のブラシパターンとディザパターンの干渉回避方法をコンピュータが制御可能なＯＳに従ってプログラミングすることにより、そのＯＳを備えたコンピュータであれば同じ処理方法により制御することができる。
請求項２８では、請求項２７に記載のブラシパターンとディザパターンの干渉回避プログラムをコンピュータが読み取り可能な形式で記録媒体に記録することにより、この記録媒体を持ち運ぶことにより何処でもプログラムを稼動することができる。